(57)【特許請求の範囲】
【請求項１】
タイヤの複合材料部分をモデル化したマクロ構造物モデルを用いて、コンピュータによるシミュレーションを実行するにあたり、
前記複合材料部分の解析モデルであるミクロ構造物モデルを作成する手順と、
前記ミクロ構造物モデルの変形解析を実行する手順と、
前記変形解析の結果から、複数の変形モードにおける応力とひずみとの関係又は力と変位との関係を取得する手順と、
前記複合材料部分のシミュレーションにおいて前記複合材料部分を変形させる範囲内で、前記応力とひずみとの関係又は前記力と変位との関係から、前記マクロ構造物モデルの剛性が最大になるときの第１の弾性マトリックスと、前記剛性が最小になるときの第２の弾性マトリックスとを求める手順と、
前記第１の弾性マトリックス及び前記第２の弾性マトリックスを用いて、前記マクロ構造物モデルの弾性マトリックスを同定するための初期値及び探索範囲を設定する手順と、
前記マクロ構造物モデルを変形させたときにおける前記応力とひずみとの関係又は前記力と変位との関係が、前記ミクロ構造物モデルの変形解析の結果得られた前記応力とひずみとの関係又は前記力と変位との関係と合うように、前記マクロ構造物モデルの弾性マトリックスを同定する手順と、
を含むことを特徴とするタイヤのシミュレーション方法。
【請求項２】
前記第１の弾性マトリックス及び前記第２の弾性マトリックスを求める際には、少なくとも６つの変形モードにおける応力とひずみとの関係を取得する請求項１に記載のタイヤのシミュレーション方法。
【請求項３】
前記第１の弾性マトリックスの各成分と、前記第２の弾性マトリックスの各成分との平均値を、前記マクロ構造物モデルの弾性マトリックスの各成分の初期値とする請求項１又は２に記載のタイヤのシミュレーション方法。
【請求項４】
前記第１の弾性マトリックスを前記探索範囲の上限とし、前記第２の弾性マトリックスを前記探索範囲の下限とする請求項１から３のいずれか１項に記載のタイヤのシミュレーション方法。
【請求項５】
前記複合材料部分は、補強材が連続している構造である請求項１から４のいずれか１項に記載のタイヤのシミュレーション方法。
【請求項６】
前記マクロ構造物モデルと、前記同定によって得られた弾性マトリックスとを用いて、前記複合材料部分の特性をシミュレーションする請求項１から５のいずれか１項に記載のタイヤのシミュレーション方法。
【請求項７】
請求項１から６のいずれか１項に記載のタイヤのシミュレーション方法をコンピュータに実行させることを特徴とするタイヤのシミュレーション用コンピュータプログラム。
【請求項８】
構造物の複合材料部分をモデル化したマクロ構造物モデルを用いて、コンピュータによるシミュレーションを実行するにあたり、
前記複合材料部分の解析モデルであるミクロ構造物モデルを作成する手順と、
前記ミクロ構造物モデルの変形解析を実行する手順と、
前記変形解析の結果から、複数の変形モードにおける応力とひずみとの関係又は力と変位との関係を取得する手順と、
前記複合材料部分のシミュレーションにおいて前記複合材料部分を変形させる範囲内で、前記応力とひずみとの関係又は前記力と変位との関係から、前記マクロ構造物モデルの剛性が最大になるときの第１の弾性マトリックスと、前記剛性が最小になるときの第２の弾性マトリックスとを求める手順と、
前記第１の弾性マトリックス及び前記第２の弾性マトリックスを用いて、前記マクロ構造物モデルの弾性マトリックスを同定するための初期値と探索範囲とを設定する手順と、
前記マクロ構造物モデルを変形させたときにおける前記応力とひずみとの関係又は前記力と変位との関係が、前記ミクロ構造物モデルの変形解析の結果得られた前記応力とひずみとの関係又は前記力と変位との関係と合うように、前記マクロ構造物モデルの弾性マトリックスを同定する手順と、
を含むことを特徴とする構造物のシミュレーション方法。
【発明の詳細な説明】
【技術分野】
【０００１】
本発明は、複合材料を均質材料で表現してシミュレーションする場合の技術に関する。
【背景技術】
【０００２】
従来のタイヤは、試作と試験との繰り返しによって開発されていたので、開発効率が悪いという問題点があった。この問題点を解決するために、近年ではコンピュータを用いた数値解析によって、試作品を製造しなくともタイヤの物理的性質、すなわちタイヤの性能を予測することができる手法が提案され、実用化されている。コンピュータを用いた数値解析によってタイヤの性能を予測する場合、タイヤをコンピュータで解析可能な解析モデル化する必要がある。タイヤは、ゴムをカーカスやベルトといった補強コードによって補強した複合材料の構造体である。
【０００３】
タイヤの補強コードのシミュレーションを実行する場合、接地又は転動等によってタイヤが変形したときにおいては、補強コードの変形解析を実行して評価することが望ましい。補強コードの解析モデル化については、例えば、特許文献１に、タイヤコードの二次元モデルを作成し、作成された二次元モデルをタイヤコードの長手方向に展開して３次元形状を作成するタイヤコードの解析モデル作成方法が記載されている。
【先行技術文献】
【特許文献】
【０００４】
【特許文献１】特開２００８−２３０３７５号公報
【発明の概要】
【発明が解決しようとする課題】
【０００５】
補強コードの性能を解析する場合、補強コードが母材に埋め込まれた複合材料をモデル化したり、補強コードが撚り構造である場合には、これをモデル化して解析したりする必要がある。複合材料をそのままモデル化したり、撚り構造までをモデル化したりすると、モデルの自由度が膨大になり、タイヤの変形解析を実行することは困難である。この問題を解決する手法の一つに、マルチスケールシミュレーションと呼ばれる解析手法によりタイヤ変形時の補強コードを評価する手法がある。この解析手法は、スケールが大きく異なる二つの事象が関連し合っている問題を解析する際に用いられる。
【０００６】
マルチスケールシミュレーションを用いてタイヤの補強コードの性能や特性を解析する場合において、補強コードのマクロモデルに線形の直交異方性材料の使用を仮定した場合には、補強コードの撚り構造をモデル化したミクロモデルの変形解析結果からマクロモデルの弾性マトリックスを同定する必要がある。本発明は、複合材料を有するタイヤ又は構造物のマルチスケールシミュレーションを実行する場合において、マクロモデルの弾性マトリックスを効率的に同定することを目的とする。
【課題を解決するための手段】
【０００７】
本発明は、タイヤの複合材料部分をモデル化したマクロ構造物モデルを用いて、コンピュータによるシミュレーションを実行するにあたり、前記複合材料部分の解析モデルであるミクロ構造物モデルを作成する手順と、前記ミクロ構造物モデルの変形解析を実行する手順と、前記変形解析の結果から、複数の変形モードにおける応力とひずみとの関係又は力と変位との関係を取得する手順と、前記複合材料部分のシミュレーションにおいて前記複合材料部分を変形させる範囲内で、前記応力とひずみとの関係又は前記力と変位との関係から、前記マクロ構造物モデルの剛性が最大になるときの第１の弾性マトリックスと、前記剛性が最小になるときの第２の弾性マトリックスとを求める手順と、前記第１の弾性マトリックス及び前記第２の弾性マトリックスを用いて、前記マクロ構造物モデルの弾性マトリックスを同定するための初期値及び探索範囲を設定する手順と、前記マクロ構造物モデルを変形させたときにおける前記応力とひずみとの関係又は前記力と変位との関係が、前記ミクロ構造物モデルの変形解析の結果得られた前記応力とひずみとの関係又は前記力と変位との関係と合うように、前記マクロ構造物モデルの弾性マトリックスを同定する手順と、を含むことを特徴とするタイヤのシミュレーション方法である。
【０００８】
本発明において、前記第１の弾性マトリックス及び前記第２の弾性マトリックスを求める際には、少なくとも６つの変形モードにおける応力とひずみとの関係を取得することが好ましい。
【０００９】
本発明において、前記第１の弾性マトリックスの各成分と、前記第２の弾性マトリックスの各成分との平均値を、前記マクロ構造物モデルの弾性マトリックスの各成分の初期値とすることが好ましい。
【００１０】
本発明において、前記第１の弾性マトリックスを前記探索範囲の上限とし、前記第２の弾性マトリックスを前記探索範囲の下限とすることが好ましい。
【００１１】
本発明において、前記複合材料部分は、補強材が連続している構造であることが好ましい。
【００１２】
本発明において、前記マクロ構造物モデルと、前記同定によって得られた弾性マトリックスとを用いて、前記複合材料部分の特性をシミュレーションすることが好ましい。
【００１３】
本発明は、前記タイヤのシミュレーション方法をコンピュータに実行させることを特徴とするタイヤのシミュレーション用コンピュータプログラムである。
【００１４】
本発明は、構造物の複合材料部分をモデル化したマクロ構造物モデルを用いて、コンピュータによるシミュレーションを実行するにあたり、前記複合材料部分の解析モデルであるミクロ構造物モデルを作成する手順と、前記ミクロ構造物モデルの変形解析を実行する手順と、前記変形解析の結果から、複数の変形モードにおける応力とひずみとの関係又は力と変位との関係を取得する手順と、前記複合材料部分のシミュレーションにおいて前記複合材料部分を変形させる範囲内で、前記応力とひずみとの関係又は力と変位との関係から、前記マクロ構造物モデルの剛性が最大になるときの第１の弾性マトリックスと、前記剛性が最小になるときの第２の弾性マトリックスとを求める手順と、前記第１の弾性マトリックス及び前記第２の弾性マトリックスを用いて、前記マクロ構造物モデルの弾性マトリックスを同定するための初期値と探索範囲とを設定する手順と、前記マクロ構造物モデルを変形させたときにおける前記応力とひずみとの関係又は前記力と変位との関係が、前記ミクロ構造物モデルの変形解析の結果得られた前記応力とひずみとの関係又は前記力と変位との関係と合うように、前記マクロ構造物モデルの弾性マトリックスを同定する手順と、を含むことを特徴とする構造物のシミュレーション方法である。
【発明の効果】
【００１５】
本発明は、複合材料を有するタイヤ又は構造物のマルチスケールシミュレーションを実行する場合において、マクロモデルの弾性マトリックスを効率的に同定することができる。
【図面の簡単な説明】
【００１６】
【図１】図１は、空気入りタイヤの回転軸を通る子午断面を示す断面図である。
【図２】図２は、本実施形態に係るタイヤ又は構造物のシミュレーション構成を示す説明図である。
【図３】図３は、本実施形態に係るシミュレーション方法の手順を示すフローチャートである。
【図４】図４は、ミクロ構造物モデルの一例を示す斜視図である。
【図５】図５は、マクロ構造物モデルの一例を示す斜視図である。
【図６】図６は、変形解析の結果得られる反力と変位との関係の一例を示す図である。
【図７】図７は、変形解析の結果得られる反力と変位との関係の他の例を示す図である。
【図８】図８は、応力を弾性マトリックスとひずみとの関係で表した数式を示す図である。
【図９】図９は、応力を弾性マトリックスとひずみとの関係で表した数式を示す図である。
【図１０】図１０は、第１の弾性マトリックスの一例を示す模式図である。
【図１１】図１１は、第２の弾性マトリックスの一例を示す模式図である。
【図１２】図１２は、マクロ構造物モデルの弾性マトリックスを探索する範囲の説明図である。
【図１３】図１３は、弾性マトリックスの探索を開始する際における初期値の概念図である。
【図１４】図１４は、同定されたマクロ構造物モデルの弾性マトリックスを示す概念図である。
【発明を実施するための形態】
【００１７】
以下、本発明につき図面を参照しつつ詳細に説明する。なお、以下の内容によりこの発明が限定されるものではない。また、以下の構成要素には、当業者が容易に想定できるもの、実質的に同一のものが含まれる。さらに、以下に記載した構成要素は適宜組み合わせることが可能である。本発明は、複合材料の部分（複合材料部分）を含む構造物であれば適用できる。このような構造物としては、例えば、タイヤ、ベルト又はホース等の構造物に対して適用できる。以下においては、タイヤのシミュレーションに本発明を適用した例を説明する。以下の説明においては、空気入りタイヤを例とするが、複合材料部分を含むタイヤであれば、種類は問わない。
【００１８】
図１は、空気入りタイヤの回転軸を通る子午断面を示す断面図である。図１に示すように、空気入りタイヤ（以下、必要に応じてタイヤという）１の子午断面には、カーカス２、ベルト３、ベルトカバー４、ビードコア５が現れている。タイヤ１は、母材であるゴムを、強化材であるカーカス２、ベルト３、あるいはベルトカバー４等の補強コードによって補強した複合材料部分を有する構造体である。ここで、カーカス２、ベルト３、ベルトカバー４等の、金属繊維や有機繊維等のコード材料で構成される補強コードの層を、コード層という。
【００１９】
カーカス２は、タイヤ１に空気を充填した際に圧力容器としての役目を果たす強度メンバーであり、その内圧によって荷重を支え、走行中の動的荷重に耐えるようになっている。ベルト３は、キャップトレッド６とカーカス２との間に配置されたゴム引きコードを束ねた補強コードの層である。なお、バイアスタイヤの場合にはブレーカと呼ぶ。ラジアルタイヤにおいて、ベルト３は形状保持及び強度メンバーとして重要な役割を担っている。
【００２０】
ベルト３の接地面Ｇ側には、ベルトカバー４が配置されている。ベルトカバー４は、例えば有機繊維材料を層状に配置したものであり、ベルト３の保護層としての役割や、ベルト３の補強層としての役割を持つ。ビードコア５は、内圧によってカーカス２に発生するコード張力を支えているスチールワイヤの束である。ビードコア５は、カーカス２、ベルト３、ベルトカバー４及びトレッドとともに、タイヤ１の強度部材となる。キャップトレッド６の接地面Ｇ側には、溝７が形成される。これによって、雨天走行時の排水性を向上させる。また、タイヤ１の側部はサイドウォール８と呼ばれており、ビードコア５とキャップトレッド６との間を接続する。また、キャップトレッド６とサイドウォール８との間はショルダー部Ｓｈである。次に、本実施形態に係るタイヤ又は構造物のシミュレーション方法（以下、必要に応じてシミュレーション方法という）を実行する装置について説明する。
【００２１】
図２は、本実施形態に係るタイヤ又は構造物のシミュレーション構成を示す説明図である。図２に示すタイヤ又は構造物のシミュレーション装置（以下、シミュレーション装置という）５０は、マルチスケールシミュレーションに用いるミクロ構造物モデルの作成と、マクロ構造物モデルの作成及び弾性マトリックスの同定と、マルチスケールシミュレーションとを実行する。
【００２２】
シミュレーション装置５０は、処理部５０ｐと記憶部５０ｍと入出力部５０ｉｏとを含む。処理部５０ｐは、ミクロ構造物モデル作成部５１と、マクロ構造物モデル作成部５２と、解析部５３と、弾性マトリックス同定部５４と、を含む。これらが本実施形態に係るシミュレーション方法を実行する。また、シミュレーション装置５０には、入出力部５０ｉｏに入出力装置６０が接続されており、これに入力装置６１及び表示装置６２が接続される。入出力装置６０は、入出力部５０ｉｏを介してミクロ構造物モデル及びマクロ構造物モデルの作成等に必要な情報を処理部５０ｐ又は記憶部５０ｍへ入力する。
【００２３】
ミクロ構造物モデル作成部５１は、複合材料部分を有する構造物について、複合材料部分を不均質材料として、前記複合材料部分の解析モデル、すなわち、ミクロ構造物モデルを作成する。解析モデルとは、有限要素法又は有限差分法等の数値解析手法を用いて、解析対象（例えばタイヤその他の構造体）に対して騒音解析、振動解析又は転動解析等を行うために用いるモデルで、コンピュータで解析可能なモデルであり、数学的モデルや数学的離散化モデルを含む。解析モデルは、コンピュータが取り扱うことのできる数値データの集合体である。本実施形態では、作成されたタイヤモデルを用いたシミュレーション等に用いる解析手法として、有限要素法を使用する。解析手法に有限要素法を用いる場合、解析モデルは、解析対象を複数の節点で構成された有限個の要素に分割して作成される。
【００２４】
マクロ構造物モデル作成部５２は、ミクロ構造物モデルの対象となった前記複合材料部分について、複合材料を均質材料として、前記複合材料部分の解析モデル、すなわち、マクロ構造物モデルを作成する。解析部５３は、ミクロ構造物モデル又はマクロ構造物モデルに対して変形解析等を実行する。弾性マトリックス同定部５４は、マクロ構造物モデルの弾性マトリックスを同定する。
【００２５】
記憶部５０ｍには、後述する本実施形態に係るシミュレーション方法の処理手順を含むコンピュータプログラム及び各種のデータ等が格納されている。ここで、記憶部５０ｍは、ＲＡＭ（Random Access Memory）のような揮発性のメモリ、不揮発性のメモリ、ハードディスク装置、あるいはこれらの組み合わせにより構成することができる。また、処理部５０ｐは、メモリ及びＣＰＵ（Central Processing Unit）により構成することができる。
【００２６】
上記コンピュータプログラムは、処理部５０ｐが備えるミクロ構造物モデル作成部５１又はマクロ構造物モデル作成部５２等へ既に記録されているコンピュータプログラムとの組み合わせによって、本実施形態に係るシミュレーション方法の処理手順を実現できるものであってもよい。また、このシミュレーション装置５０は、前記コンピュータプログラムの代わりに専用のハードウェアを用いて、処理部５０ｐが備えるミクロ構造物モデル作成部５１と、マクロ構造物モデル作成部５２と、解析部５３と、弾性マトリックス同定部５４との機能を実現するものであってもよい。次に、本実施形態のタイヤ又は構造物のシミュレーション方法（以下、必要に応じてシミュレーション方法という）を説明する。本実施形態に係るシミュレーション方法は、シミュレーション装置５０によって実現される。
【００２７】
図３は、本実施形態に係るシミュレーション方法の手順を示すフローチャートである。図４は、ミクロ構造物モデルの一例を示す斜視図である。図５はマクロ構造物モデルの一例を示す斜視図である。本実施形態では、ゴムの母材を撚りワイヤーで強化した複合材料部分（例えば、ベルト又はカーカス等の補強コードが母材であるゴムに埋め込まれた構造物、あるいはタイヤのゴム引きコード等）を対象として、これらのミクロ構造物モデル及びマクロ構造物モデルを作成し、マクロ構造物モデルの弾性マトリックスを同定する。
【００２８】
ステップＳ１０１において、シミュレーション装置５０のミクロ構造物モデル作成部５１は、図４に示すようなミクロ構造物モデル１０を作成する。例えば、タイヤは、ベルト又はカーカス等の補強コードが母材であるゴムに埋め込まれている。ミクロ構造物モデル１０は、前記補強コードと、前記補強コードが埋め込まれるゴムとを解析モデル化したものである。ミクロ構造物モデル１０は、前記補強コードを解析モデル化したコードモデル１１と、前記ゴムを解析モデル化した母材モデル１２とを含む。例えば、ミクロ構造物モデル作成部５１は、コードを複数の節点を有する複数の要素で分割してコードモデル１１を作成するとともに、母材を複数の節点を有する複数の要素で分割して母材モデル１２を作成し、母材モデル１２内にコードモデル１１を埋め込むことによってミクロ構造物モデル１０を作成する。本実施形態において、コードモデル１１は、３本のワイヤーを寄った１×３の撚り構造である。コードモデル１１が延在する方向をｚ方向、ｚ方向と直交する方向をｘ方向、ｙ方向とする。ミクロ構造物モデル作成部５１は、作成したミクロ構造物モデル１０の情報（座標情報や材料定数等）をシミュレーション装置５０の記憶部５０ｍへ一時的に格納する。
【００２９】
本実施形態では、ミクロ構造物モデル１０の作成とともに、シミュレーション装置５０のマクロ構造物モデル作成部５２は、図５に示すようなマクロ構造物モデル２０を作成する。マクロ構造物モデル２０は、均質材料の解析モデルである。マクロ構造物モデル２０は、例えば、ソリッドモデルである。ソリッドモデルとは、３次元モデリングの一技法により作成されるモデルである。ソリッドとは固体を意味し、ワイヤーフレームモデルやサーフェイスモデルでは表現できない立体の内部構造の表現ができるものである。ソリッドモデルは、立体の面だけでなく、面で囲まれる中身の情報も備える。マクロ構造物モデル２０は、直方体形状の解析モデルであり、その長手方向が、ミクロ構造物モデル１０が有するコードモデル１１の延在する方向に相当する。マクロ構造物モデル作成部５２は、作成したマクロ構造物モデル２０の情報（座標情報や材料定数等）をシミュレーション装置５０の記憶部５０ｍへ一時的に格納する。本実施形態に係るシミュレーション方法は、撚り構造を有する解析対象、すなわち、ミクロ構造物モデル１０と同様の挙動を、均質材料の構造物で表現されたマクロ構造物モデル２０が示すように、マクロ構造物モデル２０の弾性マトリックスを同定する。本実施形態において、マクロ構造物モデル２０は、ミクロ構造物モデル１０の作成時に作成されるが、マクロ構造物モデル２０は、これの弾性マトリックスを求めるときまでに作成されていればよい。
【００３０】
次に、ステップＳ１０２へ進み、シミュレーション装置５０の解析部５３は、ミクロ構造物モデル１０の情報を記憶部５０ｍから読み出して、ミクロ構造物モデル１０に対して変形解析を実行する。変形解析は、ｘ（又はｙ）方向１軸伸長、ｚ方向１軸伸長、ｚ方向固定ｘ（又はｙ）方向１軸伸長、ｘ（又はｙ）方向固定ｚ方向１軸伸長、ｘｙせん断、ｘｚ（又はｙｚ）せん断の６個の変形モードにおいて実行され、反力（力）−変位又は応力−ひずみの関係が取得される。実際の計測が困難な変形モードも存在するので、本実施形態において、変形解析は、コンピュータを用いたシミュレーション、すなわち、シミュレーション装置５０が実行する。解析部５３は、変形解析の結果を記憶部５０ｍに保存する。変形解析は、予め定めた変位又はひずみの範囲で実行される。どの程度の変位又はひずみの範囲で変形解析を実行するかは、例えば、マクロ構造物モデル２０を対象として実行した予備の解析の結果に基づいて設定することができる。
【００３１】
変形解析は、第１の弾性マトリックスを求めるために、２％ひずみのときの変位を境界条件として与えたものと、第２の弾性マトリックスを求めるために、０．１％ひずみのときの変位を境界条件として与えたものとを実行する。表１は、２％ひずみ時における各変形モードにおける各方向の変位を示している。表２は、０．１％ひずみ時における各変形モードにおける各方向の変位を示している。表１、表２中の−は、その方向について、拘束がないことを意味している。表１、表２中の１はｘ方向、２はｙ方向、３はｚ方向を示す。１１はｘ方向の変形、２２はｙ方向の変形、３３はｚ方向の変形、１２、２１はｘｙ平面内の変形、１３、３１はｘｚ平面内の変形、２３、３２はｙｚ平面内の変形を意味する（以下同様）。これらの変位を境界条件として与え、各変形モードで変形解析を実行する。
【００３２】
【表１】
0005834456.tif 000002
【００３３】
【表２】
0005834456.tif 000003
【００３４】
図６は、変形解析の結果得られる反力と変位との関係の一例を示す図である。図６のＡで示す実線は、変形モードがｚ方向１軸伸長での反力（力）と変位との関係を示している。ステップＳ１０２においては、６個の変形モードの変形解析が実行されるので、反力と変位との関係は、他に５個得られる。変形解析が終了したら、ステップＳ１０３に進み、シミュレーション装置５０の弾性マトリックス同定部５４は、記憶部５０ｍから、それぞれの変形モードにおける反力と変位との関係を読み出すことにより取得する。図６の結果から、複合材料は、反力（応力）と変位（ひずみ）とが非線形に変化する関係を有している。
【００３５】
次に、ステップＳ１０４に進み、弾性マトリックス同定部５４は、第１の弾性マトリックスと第２の弾性マトリックスとを求める。第１の弾性マトリックスは、ミクロ構造物モデル１０の剛性が最大となるひずみ（変位）の弾性マトリックスであり、第２の弾性マトリックスは、前記剛性が最小となるひずみ（初期剛性）の弾性マトリックスである。複合材料は、変位（ひずみ）に対する力（応力）の変化が非線形である。このため、マクロ構造物モデル２０の弾性マトリックスは、第１の弾性マトリックスと第２の弾性マトリックスとの間にあると考えられるので、本実施形態では、後述するように、両者の間でマクロ構造物モデル２０の弾性マトリックスを探索し、同定する。
【００３６】
第１の弾性マトリックスは、ミクロ構造物モデル１０の剛性が最大となるひずみ（変位）の弾性マトリックスである。本実施形態では、２％ひずみの場合に、前記剛性が最大になるとする。これは、後述するマルチスケールシミュレーションの対象がタイヤである場合、ひずみは大きくても２％であることから、ひずみが２％の場合の前記剛性を最大値とする。マルチスケールシミュレーションの対象によって、前記剛性が最大となるときのひずみの値は適宜変更される。図６に示す例では、原点と２％ひずみ（図６のＣ１で示す点線）における座標とを結んだ直線Ａｍａｘの傾きが、最大の剛性になる。
【００３７】
第２の弾性マトリックスは、ミクロ構造物モデル１０の剛性が最小となるひずみ（変位）の弾性マトリックスである。本実施形態では、０．１％ひずみの場合に、前記剛性が最小になるとする。マルチスケールシミュレーションの対象によって、前記剛性が最小となるときのひずみの値は適宜変更される。図６に示す例では、原点と０．１％ひずみ（図６のＣ２で示す点線）における座標とを結んだ直線Ａｍｉｎの傾きが、最小の剛性になる。微小なひずみ（本実施形態では０．１％程度）を与えることで、シミュレーションの対象となる複合材料部分の初期の剛性に近い結果を得ることができる。
【００３８】
図７は、変形解析の結果得られる反力と変位との関係の他の例を示す図である。上述した霊は、初期において剛性が最小となる例である。しかし、図７の実線Ａに示す反力（力）と変位との関係のように、極値Ｐｍｉ、Ｐｍａを有する場合がある。この場合、初期（例えば、０．１％ひずみ）が剛性最小とは限らず、また、２％ひずみが剛性最大とは限らない。この場合、剛性が最大、最小となるポイントを使用した弾性マトリックスを、それぞれ第１の弾性マトリックスＭ１、第２の弾性マトリックスＭ２とする。原点と結んだ傾き（剛性）が最大となるポイントは、この例ではＰｍａであり、原点と結んだ傾き（剛性）が最小となるポイントは、この例ではＰｍｉである。第１の弾性マトリックスＭ１は、原点とＰｍａとを結んだ直線Ａｍａｘの傾きから求められ、第１の弾性マトリックスＭ１は、原点とＰｍｉとを結んだ直線Ａｍｉｎの傾きから求められる。
【００３９】
実線Ａで示す反力（力）と変位との関係は、ミクロ構造物モデル１０の変位解析、すなわち、コンピュータを用いたシミュレーションによってデータである。このため、離散的なデータしか存在しない。その結果、剛性が最大又は最小になるポイントＰｍａ、Ｐｍｉのデータは存在しないことがある。したがって、離散的なデータの中から最大又は最小になるデータを使用することになる。このため、第１の弾性マトリックスＭ１及び第２の弾性マトリックスＭ２は、剛性が最大となるポイントＰｍａ、最小となるポイントＰｍｉを用いて求めたものに加え、これらに最も近いポイントを用いて求めたものも含まれる。
【００４０】
図８、図９は、応力を弾性マトリックスとひずみとの関係で表した数式を示す図である。図１０は、第１の弾性マトリックスの一例を示す模式図である。図１１は、第２の弾性マトリックスの一例を示す模式図である。上述した２％ひずみに対応する変形解析によって得られた力（応力Ｓ）と変位（ひずみＮ）とを、例えば、図８に示す数式（１）のＮ１１〜Ｎ２３と、Ｓ１１〜Ｓ２３とに与えて前記数式を解くことにより、弾性マトリックスＭｓの各成分Ａ〜Ｉを求める。このようにして、剛性が最大のときの弾性マトリックス、すなわち、第１の弾性マトリックスＭ１を求める。同様に、０．１％ひずみに対応する変形解析によって得られた力（応力Ｓ）と変位（ひずみＮ）とから、弾性マトリックスＭｓの各成分Ａ〜Ｉを求める。このようにして、剛性が最小のときの弾性マトリックス、すなわち、第２の弾性マトリックスＭ２を求める。
【００４１】
１方向にのみ異方性を有し、その方向に垂直な断面の幅と高さが同じ場合（横等方性）、線形の直交異方性の弾性マトリックスの成分は９個から６個に縮退できるため、６個の変形モードの解析結果から、第１弾性マトリックスＭ１及び第２弾性マトリックスＭ２の成分を同定することができる。本実施形態では、マクロ構造物モデル２０等の元となった複合材料部分が線形の直交異方性を有することから、ｘ方向の挙動とｙ方向の挙動は同一とみなすことができる。すると、図８の数式（１）は、図９に示す数式（２）のように書き改められる。このように、前記複合材料部分が線形の直交異方性を有する場合には、弾性マトリックスＭは、Ａ〜Ｆの合計６個の成分を有することになる。数式（２）を展開すると６個の式が得られるが、未知数がＡ〜Ｆの６個なので、すべての未知数を求めることができる。なお、異方性の弾性マトリックスの成分は６個以下には縮退できないので、６個よりも少ない変形モードの結果だけでは定まらない第１弾性マトリックスＭ１及び第２弾性マトリックスＭ２を求めることができない。
【００４２】
ステップＳ１０４において、弾性マトリックス同定部５４は、２％ひずみに対応する変形解析によって得られた力（応力Ｓ）と変位（ひずみＮ）とを与えた数式（２）から、図１０に示すような第１の弾性マトリックスＭ１（求める成分は、Ａ１、Ｂ１、Ｃ１、Ｄ１、Ｅ１、Ｆ１）を求めて、記憶部５０ｍに保存する。また、弾性マトリックス同定部５４は、０．１％ひずみに対応する変形解析によって得られた力（応力Ｓ）と変位（ひずみＮ）とを与えた数式（２）から、図１１に示すような第２の弾性マトリックスＭ２（求める成分は、Ａ２、Ｂ２、Ｃ２、Ｄ２、Ｅ２、Ｆ２）を求めて、記憶部５０ｍに保存する。第１の弾性マトリックスＭ１及び第２の弾性マトリックスＭ２が求められたら、ステップＳ１０５へ進む。
【００４３】
図１２は、マクロ構造物モデルの弾性マトリックスを探索する範囲の説明図である。ステップＳ１０５において、弾性マトリックス同定部５４は、これから求めようとするマクロ構造物モデル２０の弾性マトリックスを探索する範囲（探索範囲）ＳＡ及び最初に探索を開始する値（初期値）設定する。本実施形態では、探索の対象とする弾性マトリックスの各成分の値を変化させて、様々な方向の応答を総合的に表現できる弾性マトリックスを求め、これをマクロ構造物モデル２０の弾性マトリックスとして同定する。このようにして同定された弾性マトリックスを用いたマクロ構造物モデル２０は、ミクロ構造物モデル１０の挙動を適切に再現できる。
【００４４】
本実施形態においては、第１の弾性マトリックスＭ１と第２の弾性マトリックスＭ２とに基づいて、探索範囲ＳＡが設定される。例えば、第１の弾性マトリックスＭ１を探索範囲の上限（図１２の直線Ａｍａｘで示す範囲）とし、第２の弾性マトリックスＭ２を探索範囲の下限（図１２の直線Ａｍｉｎで示す範囲）とする。探索の対象とする弾性マトリックスの各成分は、この範囲で変更されて、複数の変形モード（本実施形態では、ステップＳ１０２の変形解析における６個の変形モード）それぞれを最もよく再現できる弾性マトリックスが、マクロ構造物モデル２０の弾性マトリックスとして同定される。すなわち、探索の対象とする弾性マトリックスの各成分は、第１の弾性マトリックスＭ１の対応する各成分が上限となり、第２の弾性マトリックスＭ２の対応する各成分が下限となる。なお、探索範囲は、第１の弾性マトリックスＭ１を上限、第２の弾性マトリックスＭ２を下限とする必要はなく、例えば、第１の弾性マトリックスＭ１を中心とした所定の範囲に存在する１つの弾性マトリックスを上限とし、第２の弾性マトリックスＭ２を中心とした所定の範囲にある１つの弾性マトリックスを下限としてもよい。
【００４５】
図１３は、弾性マトリックスの探索を開始する際における初期値の概念図である。初期値Ｍ０は、探索を開始する時点における弾性マトリックスである。例えば、第１の弾性マトリックスＭ１の各成分と、第２の弾性マトリックスＭ２の各成分との平均値を、探索の対象とする弾性マトリックスの初期値Ｍ０としてもよい。すなわち、初期値Ｍ０の成分Ａ０＝（Ａ１＋Ａ２）／２、Ｂ０＝（Ｂ１＋Ｂ２）／２、Ｃ０＝（Ｃ１＋Ｃ２）／２、Ｄ０＝（Ｄ１＋Ｄ２）／２、Ｅ０＝（Ｅ１＋Ｅ２）／２、Ｆ０＝（Ｆ１＋Ｆ２）／２となる。このようにすると、最適解に比較的近い初期値Ｍ０を設定することができるので、マクロ構造物モデル２０の弾性マトリックスを効率的に探索することができる。なお、第２の弾性マトリックスＭ２を初期値Ｍ０としてもよいし、第１の弾性マトリックスＭ１を初期値Ｍ０としてもよい。このようにすれば、比較的容易に初期値を設定できる。
【００４６】
弾性マトリックス同定部５４は、第１の弾性マトリックスＭ１と第２の弾性マトリックスＭ２とに基づいて、探索範囲ＳＡ及び初期値Ｍ０を設定し、記憶部５０ｍに保存する。その後、ステップＳ１０６に進み、弾性マトリックス同定部５４は、探索の対象とする弾性マトリックスの各成分を前記探索範囲内で変化させて、マクロ構造物モデル２０の弾性マトリックスを同定する。
【００４７】
図１４は、同定されたマクロ構造物モデルの弾性マトリックスを示す概念図である。弾性マトリックス同定部５４は、例えば、上述した変形解析において得られたミクロ構造物モデル１０の反力−変位の関係と、探索の対象とする弾性マトリックスをマクロ構造物モデル２０の弾性マトリックスとして変形解析した場合に得られる反力−変位の関係との偏差の自乗和が、６個の変形モードにおいて最小となったときの探索の対象とする弾性マトリックスをマクロ構造物モデル２０の弾性マトリックスＭｄとして同定することができる。また、特定の変形モードに注目し、その変形モードに対して弾性マトリックスを合わせ込んでもよい。例えば、Ｚ方向の応答が一番大きい場合、Ｚ方向における変形モードであるＺ方向一軸伸長に着目する。そして、弾性マトリックス同定部５４は、Ｚ方向一軸伸長での偏差の自乗和が最も小さくなったときの探索の対象とする弾性マトリックスを、マクロ構造物モデル２０の弾性マトリックスＭｄとして同定してもよい。
【００４８】
弾性マトリックス同定部５４は、マクロ構造物モデル２０の弾性マトリックスＭｄを同定したら、記憶部５０ｍに格納する。その後、ステップＳ１０７に進み、解析部５３は、同定された弾性マトリックスＭｄを記憶部５０ｍから読み出して、マクロ構造物モデル２０に与える。そして、解析部５３は、ミクロ構造物モデル１０と、同定された弾性マトリックスＭｄを有するマクロ構造物モデル２０とを用いて、シミュレーション（マルチスケールシミュレーション）を実行する。
【００４９】
本実施形態は、第１の弾性マトリックスＭ１と第２の弾性マトリックスＭ２とに基づき、探索の対象とする弾性マトリックスの探索範囲及び初期値を定めてから探索する。このようにすることで、マクロ構造物モデル２０の弾性マトリックスＭｄを同定するまでの探索時間を短縮することができる。本実施形態に係るシミュレーション方法は、連続しているミクロ不均質構造を有する複合材料部分がを対象とすることが好ましい。このような構造は、挙動が線形でもなく、強い非線形性を示す場合も少ないので、本実施形態に係るシミュレーション方法が有効である。したがって、本実施形態に係るシミュレーション方法は、このような構造の変形挙動を近似することができる。
【００５０】
例えば、ミクロ構造物モデル１０を、１×３のワイヤーが母材に埋め込まれた撚り構造物で、サイズを１．５ｍｍ×１．５ｍｍ×１４．４ｍｍとし、ワイヤーのヤング率Ｅを１５０ＧＰａ、ポアソン比ν＝０．３、母材のヤング率を３ＭＰａ、ポアソン比ν＝０．４９とした。このミクロ構造物モデル１０について、変形解析時において、材料モデルとして、Ｎｅｏ−Ｈｏｏｋｅａｎモデルを用い、Ｃ１０＝０．５０４、Ｄ＝０．０４として解析した。このミクロ構造物モデル１０と同様の挙動を示す均質材料の構造物のモデル、すなわち、マクロ構造物モデル２０の弾性マトリックスを、本実施形態に係るシミュレーション方法で同定したところ、同定に要した探索時間は５分であった。探索範囲を設定しない方法で同定したところ、同定に要した探索時間は２０分であった。このように、本実施形態に係るシミュレーション方法は、探索範囲を設定しない方法と比較して同定に要する時間を短縮する効果が認められた。
【符号の説明】
【００５１】
１  タイヤ（空気入りタイヤ）
２  カーカス
３  ベルト
４  ベルトカバー
５  ビードコア
６  キャップトレッド
７  溝
８  サイドウォール
１０  ミクロ構造物モデル
１１  コードモデル
１２  母材モデル
２０  マクロ構造物モデル
５０  シミュレーション装置
５０ｍ  記憶部
５０ｐ  処理部
５１  ミクロ構造物モデル作成部
５２  マクロ構造物モデル作成部
５３  解析部
５４  弾性マトリックス同定部
【図１】
0005834456.tif 000004
【図２】
0005834456.tif 000005
【図３】
0005834456.tif 000006
【図４】
0005834456.tif 000007
【図５】
0005834456.tif 000008
【図６】
0005834456.tif 000009
【図７】
0005834456.tif 000010
【図８】
0005834456.tif 000011
【図９】
0005834456.tif 000012
【図１０】
0005834456.tif 000013
【図１１】
0005834456.tif 000014
【図１２】
0005834456.tif 000015
【図１３】
0005834456.tif 000016
【図１４】
0005834456.tif 000017